(57)【要約】      （修正有）【課題】特定のフィギュアに似せて形作った外ケースに二次電池モジュールを組み込み、充電により再使用が可能になる二次電池装置を提供する。【解決手段】二次電池モジュールを収容した外ケース２０を、特定のフィギュアの頭部の直方体形状に似せて形作る。外ケースの平面視矩形の平坦な一面に２つの円形開口２１，２１と１つの三角形開口２２とを設け、これらをフィギュアの目相当部や鼻口相当部に見立てる。二次電池モジュールの発光表示部の光源とスイッチとを、これら２つの円形開口と１つの三角形開口にそれぞれ配備する。さらに、外ケースの片側矩形の側面に形成されている開口２３には、二次電池モジュールに備わっている１つの入力コネクタを、他側の側面に形成されている２つの開口には、２つの出力コネクタをそれぞれ配備する。【選択図】図１
0003187322.tif 000002
【実用新案登録請求の範囲】
【請求項１】
二次電池、外部電源から電力を上記二次電池に充電することに用いられる入力コネクタ、上記二次電池の電力をデバイスに供給することに用いられる出力コネクタ、光源を備えた発光表示部、この発光表示部の上記光源による表示モードを制御する表示部制御回路及びこの発光表示部の作動を制御することに用いられるスイッチ、を含む二次電池モジュールと、この二次電池モジュールが収容された外ケースと、を有する二次電池装置であって、
上記外ケースが、正面視矩形の平坦な顔面相当部に２つの円形の目相当部と１つの三角形の鼻口相当部とを有する直方体形状の頭部を備えたフィギュアの上記頭部の直方体形状に似せて形作られていて、
直方体形状の上記外ケースの平面視矩形の平坦な一面に、上記２つの円形の目相当部に相応する２つの円形開口と、上記１つの三角形の鼻口相当部に相応する１つの三角形開口と、が設けられていると共に、２つの上記円形開口に、上記発光表示部の光源が配備され、１つの上記三角形開口にその三角形開口の外部から操作可能に上記スイッチが配備され、
上記外ケースの平坦な他の面に形成された開口に、上記入力コネクタと上記出力コネクタとが配備されていることを特徴とする二次電池装置。
【請求項２】
二次電池モジュールの上記光源による表示モードが、二次電池充電時又はデバイス充電時における上記表示部制御回路の作用によって制御されるように構成され、その表示モードが、上記二次電池の電圧レベルに応じて、上記光源の発光色、点灯モード、点滅モード、消灯モードの中から選ばれる少なくとも１つの要素が選択されるように構成されている請求項１に記載した二次電池装置。
【請求項３】
二次電池モジュールの上記光源による表示モードが、入力モード時すなわち二次電池充電時の二次電池の電圧レベル（二次電池の電力残量）において、第１レベルを１０％以下、第２レベルを１１−３０％、第３レベルを３１−９０％、第４レベルを９１−１００％に振り分け、第１レベルでは、光源が赤色の点滅を繰り返し、第２レベルでは、光源がオレンジ色の点滅を繰り返し、第３レベルでは、光源が黄色の点滅を繰り返し、第４レベルでは、光源が黄色に点灯するように構成されている請求項２に記載した二次電池装置。
【請求項４】
二次電池モジュールの上記光源による表示モードが、出力モード時すなわちデバイス充電時の二次電池の電圧レベル（二次電池の電力残量）において、第１レベルを０−５％、第２レベルを６−１００％に振り分け、第１レベルでは、光源が二次電池の電力残量がなくなるまで赤色の点滅を繰り返し、第２レベルでは、光源が設定時間（スイッチ押し下げ後の一定時間）の経過後に消灯し、充電完了時（電力残量１００％）の数分間は、光源が赤色の点滅を繰り返してデバイス充電完了を知らせるように構成されている請求項２に記載した二次電池装置。
【考案の詳細な説明】
【技術分野】
【０００１】
本考案は、二次電池装置、特に、放電により消費した電力を、外部電源を利用して充電することにより元の状態に戻すことが可能で、かつ、充電により蓄えた電力をスマートフォンなどのデバイスの充電に利用することが可能な二次電池装置に関する。
【背景技術】
【０００２】
スタンド式の充電器と着脱式電池パックとにより構成されていて、外部電源に接続した充電器を介して電池パックを充電することのできる充電システムが知られている（たとえば特許文献１参照）。また、ハウジングに収容した二次電池の電力を利用して携帯電話の内蔵電池を充電することのできる携帯充電器も知られている（たとえば、特許文献２参照）。そして、特許文献２によって提案されている携帯充電器では、ハウジングに、発光ダイオードでなる充電状態表示部が設けられている。
【０００３】
ところで、近時では、様々なキャラクターをかたどったフィギュアの人気が高まっている。そのようなフィギュアの１つとして、図５に正面図で示したものがある。同図のフィギュアは、横長直方体形状の頭部１、この頭部１を支えている胴体部２、胴体部２に取り付けられた左右の腕部３，３、胴体部２に取り付けられた左右の脚部４，４、などを備えている。そして、頭部１、胴体部２、腕部３，３及び脚部４，４には、あたかもダンボール製であるかのような色味や造作が付与されていると共に、胴体部２に対して、頭部１と腕部３，３と脚部４，４とが揺動可能になっている。また、横長直方体形状の頭部１が、正面視矩形の平坦な顔面相当部１２に２つの円形の目相当部１３，１３と１つの三角形の鼻口相当部１４とを有している。
【先行技術文献】
【特許文献】
【０００４】
【特許文献１】特開２００７−２８０８７３号公報
【特許文献２】特開２００６−１４５８７号公報
【考案の概要】
【考案が解決しようとする課題】
【０００５】
そこで、図５に示したフィギュアに二次電池モジュールを組み込んで携帯型の二次電池装置を構成し、その二次電池装置を、スマートフォンや携帯電話機、タブレットなどのモバイル通信端末のユーザに提供すると、ユーザは、その二次電池装置を利用して、室内や屋外といった場所を問わずに、モバイル通信端末の内蔵電池の充電を行うことができるので便利である。併せて、今までになかった二次電池装置の斬新な外観デザインから図５に示したフィギュアが直ちに連想されるので、そのことが人の集まりの中で話題になりやすくなってコミュニケーションの活性化などにも役立つという利便性も生じる。
【０００６】
本考案は、以上説明したような状況の下で図５に示したフィギュアの人気に着目してなされたものであって、同図に示したフィギュアに似せて形作られた外ケースに二次電池モジュールを組み込むことによって、充電により再使用が可能になる内蔵電池を備えたデバイス、主にスマートフォンや携帯電話機、タブレットといったモバイル通信端末のユーザの便宜に益することのできる二次電池装置を提供することを目的とする。
【課題を解決するための手段】
【０００７】
本考案に係る二次電池装置は、二次電池、外部電源から電力を上記二次電池に充電することに用いられる入力コネクタ、上記二次電池の電力をデバイスに供給することに用いられる出力コネクタ、光源を備えた発光表示部、この発光表示部の上記光源による表示モードを制御する表示部制御回路及びこの発光表示部の作動を制御することに用いられるスイッチ、を含む二次電池モジュールと、この二次電池モジュールが収容された外ケースと、を有する。そして、上記外ケースが、正面視矩形の平坦な顔面相当部に２つの円形の目相当部と１つの三角形の鼻口相当部とを有する直方体形状の頭部を備えたフィギュアの上記頭部の直方体形状に似せて形作られていて、直方体形状の上記外ケースの平面視矩形の平坦な一面に、上記２つの円形の目相当部に相応する２つの円形開口と、上記１つの三角形の鼻口相当部に相応する１つの三角形開口と、が設けられていると共に、２つの上記円形開口に、上記発光表示部の光源が配備され、１つの上記三角形開口にその三角形開口の外部から操作可能に上記スイッチが配備され、上記外ケースの平坦な他の面に形成された開口に、上記入力コネクタと上記出力コネクタとが配備されている。
【０００８】
この構成を備えた二次電池装置は、その外観が図５を参照して説明したフィギュアの頭部にそっくりに似せて作られているので、一般的な箱形の外観を有する二次電池装置に比べて外観デザインが斬新なものになる。そのため、見る者が二次電池装置であると知ったときに興味をひきやすくなる。また、使用者にとっては、室内や屋外を問わずにスマートフォンなどのデバイスの内蔵電池を充電することが可能になるので、デバイスの不慮の電池切れを回避することも可能になるという利点がある。
【０００９】
本考案では、二次電池モジュールの上記光源による表示モードが、二次電池充電時又はデバイス充電時における上記表示部制御回路の作用によって制御されるように構成され、その表示モードが、上記二次電池の電圧レベルに応じて、上記光源の発光色、点灯モード、点滅モード、消灯モードの中から選ばれる少なくとも１つの要素が選択されるように構成されている、という構成を採用することが可能である。
【００１０】
この構成を採用すると、使用者は、二次電池充電時又はデバイス充電時に、二次電池モジュールの光源による表示モードを識別して二次電池の電圧レベル（二次電池の電力残量）を知ることができるので便利である。この構成において規定される光源による具体的な表示モードとしては、たとえば、二次電池の電力残量、即ち、二次電池の電圧レベルに応じて光源の発光色が、赤、オレンジ色、黄色、青色などに変化するモード、二次電池の電圧レベルに応じて光源が点灯したり消灯したり点滅したりするモードなどがある。また、光源の発光色と光源の点灯、消灯、点滅の各モードとを組み合わせることも可能である。
【考案の効果】
【００１１】
本考案に係る二次電池装置は、外観デザインが斬新であるので、見る者の興味をひきやすくなるという作用を発揮する。そのため、一般的な箱形の二次電池装置との差別化を図りやすくなってデバイスの多くのユーザに普及しやすくなるという効果が奏される。併せて、二次電池充電時やデバイス充電時に、特定のフィギュアの目相当部に相応する箇所で発光表示部の光源が発光することが興味をそそることに役立って、デバイスの多くのユーザに顕著に興味を持たせやすくなるという効果が奏される。
【００１２】
また、使用者にとっては、室内や屋外を問わずにスマートフォンなどのデバイスの内蔵電池を充電することが可能になるので、デバイスの不慮の電池切れを回避することも可能になるという利点ないし効果が奏される。
【図面の簡単な説明】
【００１３】
【図１】本考案の実施形態に係る二次電池装置の外観斜視図である。
【図２】図１の二次電池装置を他の方向から見て示した外観斜視図である。
【図３】二次電池モジュールの概略構成を示した説明図である。
【図４】二次電池の電圧レベルに応じた表示モードを例示した説明図である。
【図５】本考案に係る二次電池装置の外観の原形を備えたフィギュアの正面図である。
【考案を実施するための形態】
【００１４】
図１及び図２は本考案の実施形態に係る二次電池装置を異なる方向から見て示した外観斜視図である。
【００１５】
この二次電池装置は、外ケース２０とこの外ケースに収容されている二次電池モジュール（後述する）と、を有している。外ケース２０は、横長の直方体形状に形作られていて、その前面である平坦な一面に、２つの円形開口２１，２１と、１つの三角形開口２２とが設けられている。また、外ケース２０の片側の矩形の側面に１つの開口２３が設けられていると共に、他側の矩形の側面に２つの開口２４，２５が並べて設けられている。これらのうち、２つの円形開口２１，２１には、二次電池モジュールに備わっている発光表示の光源（後述する）がそれぞれ配備され、１つの三角形開口２２には、二次電池モジュールに備わっているスイッチ（後述する）が配備されている。さらに、外ケース２０の片側及び他側の矩形の側面に形成されている３つの開口２３、２４，２５には、二次電池モジュールに備わっている１つの入力コネクタと２つの出力コネクタ（いずれも後述する）とが振り分けて配備されている。
【００１６】
図１及び図２に示した外ケース２０の外観形状や色味、造作などは、図５を参照して説明したフィギュアの直方体形状の頭部１の直方体形状の外観や色味、造作をそっくりそのまま再現したものである。そのため、外ケース２０の下面や側面に、組み立てられたダンボール製の箱の紙片同士の突合せ箇所に生じる筋目と同様の筋目２７，２８が溝状に形成されている。また、外ケース２０の前面である平坦な一面に形成されている２つの円形開口２１，２１や１つの三角形開口２２の形状は、図５を参照して説明したフィギュアの頭部１の平坦な顔面相当部に備わっている２つの目相当部１３，１３及び１つの鼻口相当部１４の形状とそっくりに形作られている。２つの円形開口２１，２１や１つの三角形開口２２の形成箇所も、上記フィギュアの頭部１の平坦な顔面相当部に備わっている２つの目相当部１３，１３及び１つの鼻口相当部１４の形成箇所と同一の箇所にそのまま再現されている。
【００１７】
次に、二次電池モジュールを説明する。図３には二次電池モジュール３０の概略構成が示されている。この二次電池モジュールは、二次電池３１と、外部電源から電力を二次電池３１に充電することに用いられる入力コネクタ３２と、二次電池３１の電力を図示していないデバイスに供給することに用いられる出力コネクタ３３と、光源を備えた発光表示部３４と、この発光表示部３４の光源による表示モードを制御する表示部制御回路３５と、この発光表示部３４の作動を制御することに用いられるスイッチ３６と、を含んでいる。そして、外ケース２０の２つの円形開口１３，１３に発光表示部３４の光源が配備され、１つの三角形開口２２にスイッチ３６が配備されていて、光源の発光を２つの円形開口１３，１３を通して視認することができ、かつ、外ケース２０の外部からスイッチ３６の押し下げ操作を行うことができるようになっている。また、外ケース２０の片側の平坦な側面の１箇所に形成されている１つの開口２３に入力コネクタ３２が配備され、他側の平坦な側面の２箇所に形成されている２つの開口２４，２５にそれぞれ出力コネクタ３３，３３が配備されている。
【００１８】
図３に例示した二次電池モジュール３０の概略構成によって判るように、二次電池３１を充電するとき（二次電池充電時）には、入力コネクタ３２に外部電源をケーブル（不図示）で接続する。これにより、入力コネクタ３２に供給された外部電源の電力が、入力電圧制御部４１により電圧調整された後、電源回路４２と充放電制御回路４３とを経て二次電池３１に供給されてその二次電池３１に蓄えられる。外部電源の供給源には、家庭用コンセントやパソコン付属のＵＳＢコネクタ、自動車のシガーソケットなどを選択することが可能で、入力電圧制御部４１や電源回路４２は、それらの仕様が、外部電源の供給源の種類に応じて決定される。
【００１９】
また、二次電池３１の電力をスマートフォンなどのデバイスに供給してその内蔵電池を充電するとき（デバイス充電時）には、出力コネクタ３３にデバイスの内蔵電池をケーブル（不図示）で接続することと、スイッチ３６を押し下げて発光表示部３４の光源を点灯させることと、を行う。この実施形態では、スイッチ３６の押し下げ後に一定時間を経過すると、タイマー回路４６の作用によって発光表示部３４への給電が遮断されて光源が消灯するけれども、デバイスへの充電は継続されるように構成されている。そして、スイッチ３６を押し下げると、二次電池３１に蓄えられている電力が、充放電制御回路４３、出力電圧制御部４４及び出力コネクタ３３を経てデバイスの内蔵電池に供給されてその内蔵電池に蓄えられる。この実施形態では、電流仕様の異なる２つの出力コネクタ３３が、図２に示した２つの開口２４，２５に各別に配備されている。２つの出力コネクタ３３の仕様の具体例として、たとえば、一方側の出力コネクタ３３に「５Ｖ、１Ａ」の仕様を付与し、他方側の出力コネクタ３３に「５Ｖ、２．１Ａ」の仕様を付与することができる。これらの仕様は、図２に示したようにそれぞれの開口２４，２５の近接箇所に表示しておくことが好ましい。図２には仕様の表示箇所を符合ａ，ｂで示している。
【００２０】
図３に例示した二次電池装置において、二次電池モジュール３０の表示部制御回路３５は、その光源による表示モードを制御する機能を備えている。すなわち、二次電池充電時及びデバイス充電時において、二次電池３１に蓄えられている電力の電圧が電圧レベル検出回路４５により検出され、その検出信号が表示部制御回路３５に入力されることにより、表示部制御回路３５が、二次電池３１の電圧レベルに応じて、発光表示部３４の光源の発光色、点灯モード、点滅モード、消灯モードの中から選ばれる少なくとも１つの要素が選択されて制御される。要素としての光源の発光色だけが選択されている場合には、二次電池３１の電圧レベルに応じて発光色が変化する。また、要素としての光源の点灯モードが選択されている場合には、二次電池の電力残量、即ち、二次電池３１の電圧レベルに応じて消灯している光源が点灯する。要素としての光源の消灯モードが選択されている場合には、二次電池３１の電圧レベル(二次電池３１の電力残量)に応じて点灯している光源が消灯する。要素としての光源の点滅モードが選択されている場合には、二次電池３１の電圧レベル(二次電池３１の電力残量)に応じて光源が点滅を繰り返す。
【００２１】
）に応じて点灯している光源が消灯する。要素としての光源の点滅モードが選択されている場合には、二次電池３１の電圧レベル(二次電池３１の電力残量)に応じて光源が点滅を繰り返す。
【００２２】
この実施形態では、表示部制御回路３５の機能により、発光表示部３４の光源の発光色と点灯モードと点滅モードと消灯モードとの組み合わせによって、二次電池３１の電圧レベル(二次電池３１の電力残量)が表示されているように構成されている。
【００２３】
図４は、光源の発光色と点灯モードと点滅モードと消灯モードとの組み合わせによって表示される二次電池３１の電圧レベル(二次電池３１の電力残量)を例示した説明図である。
【００２４】
この事例では、入力モード時すなわち二次電池充電時の二次電池３１の電圧レベル(二次電池３１の電力残量)を次のように定めている。すなわち、電力量０〜１００％を第１〜第４の４段階のレベルに分け、第１レベルを１０％以下、第２レベルを１１−３０％、第３レベルを３１−９０％、第４レベルを９１−１００％に振り分けている。そして、第１レベルでは、光源が赤色の点滅を繰り返し、第２レベルでは、光源がオレンジ色の点滅を繰り返し、第３レベルでは、光源が黄色の点滅を繰り返し、第４レベルでは、光源が黄色に点灯するようになっている。
【００２５】
また、出力モード時すなわちデバイス充電時の二次電池３１の電圧レベル(二次電池３１の電力残量)を次のように定めている。すなわち、二次電池３１の電力量０〜１００％を第１レベルと第２レベルとの２段階に分け、第１レベルを０−５％、第２レベルを６−１００％に振り分けている。そして、第１レベルでは、光源が電力残量が無くなるまで赤色の点滅を繰り返す。第２レベルでは、光源が設定時間（スイッチ押し下げ後の一定時間）の経過後に消灯するけれども、デバイスへの充電は継続される。また、第２レベルにおいて、充電完了時（電力残量１００％）の数分間は、光源が赤色の点滅を繰り返して充電完了を知らせるようになっている。
【００２６】
この実施形態では、二次電池充電時又はデバイス充電時における表示部制御回路３５の作用によって発光表示部３４の光源が、二次電池３１の電圧レベル(二次電池３１の電力残量)に応じて、図４に例示したとおりに動作するものを説明したけれども、光源の動作は同図の事例に限定されない。たとえば、電圧レベルの段階を増減することが可能であることは勿論、光源の発光色や動作モードを他の発光色や動作モードに定めることも勿論可能である。
【符号の説明】
【００２７】
１  頭部
１３  目相当部
１４  鼻口相当部
２０  外ケース
２１  円形開口
２２  三角形開口
２３，２４，２５  開口
３１  二次電池
３２  入力コネクタ
３３  出力コネクタ
３４  発光表示部
３５  表示部制御回路
３６  スイッチ
３０  二次電池モジュール
【図１】
0003187322.tif 000003
【図２】
0003187322.tif 000004
【図３】
0003187322.tif 000005
【図４】
0003187322.tif 000006
【図５】
0003187322.tif 000007